(57)【要約】      （修正有）【課題】使用者の手が石鹸などが付着していて滑りやすい状態であっても容易に吐水部を引き出すことができ、引き出し操作性の高い水栓装置を提供する。【解決手段】洗面ボウルの上方に位置する壁面部に固定された水栓装置であって、前記水栓装置は、水を送給するホースが接続され、水を吐水する吐水口２６が形成された吐水部２４と、前記壁面部に形成された開口部に固定され、前記吐水部を着脱可能に保持する保持部２７と、を有し、前記吐水口から水が吐水される方向と、前記吐水部を前記保持部に装着されている状態から離脱する方向は、同一方向であり、前記吐水部は、前記吐水部が前記保持部に装着されている状態で、使用者が前記吐水口に対して真正面に立ち且つ前記吐水口を水平目線で見たときに、前記吐水部の存在により隠れる位置のみに、前記保持部に装着されている状態から離脱する際に使用可能な取手部１５を有している水栓装置。【選択図】図３
2010084348.tif 000002
【特許請求の範囲】
【請求項１】
洗面ボウルの上方に位置する壁面部に固定された水栓装置であって、
前記水栓装置は、
水を送給するホースが接続され、水を吐水する吐水口が形成された吐水部と、
前記壁面部に形成された開口部に固定され、前記吐水部を着脱可能に保持する保持部と、を有し、
前記吐水口から水が吐水される方向と、前記吐水部を前記保持部に装着されている状態から離脱する方向は、同一方向であり、
前記吐水部は、
前記吐水部が前記保持部に装着されている状態で、使用者が前記吐水口に対して真正面に立ち且つ前記吐水口を水平目線で見たときに、前記吐水部の存在により隠れる位置のみに、前記保持部に装着されている状態から離脱する際に使用可能な取手部を有していることを特徴とする水栓装置。
【請求項２】
前記吐水部は、前記ホースと接続し、前記保持部に着脱可能に保持される継手部と、前記取手部が挿入されるカバー開口部が形成され、前記継手部を覆う吐水部カバーと、を有し、
前記取手部は、前記継手部に形成された突起部が嵌め込まれる取手開口部が形成されており、
前記カバー開口部に前記取手部を挿入し、前記継手の突起部を前記取手開口部に嵌め込むことで、前記取手部は、前記吐水部に固定されていることを特徴とする請求項１に記載の水栓装置。
【請求項３】
洗面ボウルの上方に位置する壁面部に固定された水栓装置であって、
前記水栓装置は、
水を送給するホースが接続され、水を吐水する吐水口が形成された円柱状の吐水部と、
前記壁面部に形成された開口部に固定され、前記吐水部を着脱可能に保持する保持部と、を有し、
前記吐水口から水が吐水される方向と、前記吐水部を前記保持部に装着されている状態から離脱する方向は、同一方向であり、
前記吐水部には、前記吐水部が前記保持部に装着されている状態から離脱する際に使用可能な取手部が形成され、
前記取手部は、前記吐水部が前記保持部に装着されている状態で、前記壁面部と対面する前記吐水部の背面側及び前記吐水口より上部に位置し、且つ、前記吐水部が前記保持部に装着されている状態での前記取手部の水平方向の最大幅は、前記円柱状の吐水部の直径より小さいことを特徴とする水栓装置。
【発明の詳細な説明】
【技術分野】
【０００１】
本発明は、水栓装置に関し、特に壁面に固定され、吐水部を引き出し可能な水栓装置に関する。
【背景技術】
【０００２】
現在、シャワーホースに接続された吐水ヘッドが引き出し可能に備えられた水栓装置が普及している。このような水栓装置は、洗面ボウルを使用した洗髪や、洗面ボウルの清掃を容易に行うことができることなど、非常に利便性が高い。また、このようなシャワーホース付きの水栓装置は、洗面ボウルのデッキ面に設けるタイプよりも、清掃性の面から有利なため、洗面化粧台を設置する壁面に固定するタイプの方が普及している。また、このような壁面に固定するタイプの水栓装置の吐水方向は下向きで、吐水ヘッドを引き出す方向も下向きである。
【０００３】
特開２００８−７９９６６号公報には、このような洗面化粧台を設置する壁面に固定するタイプの水栓装置が開示されている。この水栓装置においては、吐水ヘッドを引き出して使用する場合は、円柱状の吐水ヘッドを掴み、引き出すように構成されている。
【０００４】
【特許文献１】特開２００８−７９９６６号公報
【発明の開示】
【発明が解決しようとする課題】
【０００５】
特開２００８−７９９６６号公報に記載されたような水栓装置においては、使用者は吐水ヘッドを引き出す際に、吐水ヘッドを手全体で覆うようにしかっり掴んで引き出そうとはせずに、指先だけで吐水ヘッドを掴み、吐水ヘッドを引き出すのが一般的である。そのため、特許２００８−７９９６６号公報に記載された水栓においては、使用者の手、特に指先に石鹸などが付着していて滑りやすい状態で、指先だけで吐水ヘッドを引き出そうとした時はもちろんのこと、吐水ヘッドを手全体で覆うようにして吐水ヘッドを引き出そうとした時でも手が滑ってしまい、うまく吐水ヘッドを引き出せないといった問題がある。また、手が滑ってしまうことで、勢い余って、手を洗面ボウルのふちなどにぶつけてしまうといった問題もある。
【０００６】
従って、本発明の解決しようとする課題は、使用者の手に石鹸などが付着していて滑りやすい状態であっても容易に吐水部を引き出すことができ、引き出し操作性の高い水栓装置を提供することにある。
【課題を解決するための手段】
【０００７】
本発明の水栓装置は、洗面ボウルの上方に位置する壁面部に固定された水栓装置であって、水栓装置は、水を送給するホースが接続され、水を吐水する吐水口が形成された吐水部と、壁面部に形成された開口部に固定され、吐水部を着脱可能に保持する保持部と、を有し、吐水口から水が吐水される方向と、吐水部を保持部に装着されている状態から離脱する方向は、同一方向であり、吐水部は、吐水部が保持部に装着されている状態で、使用者が吐水口に対して真正面に立ち且つ吐水口を水平目線で見たときに、吐水部の存在により隠れる位置のみに、保持部に装着されている状態から離脱する際に使用可能な取手部を有していることを特徴とする水栓装置である。
【０００８】
このような構成とすれば、吐水部を引き出して使用する際に、手に石鹸などが付着していて滑りやすい状態でも、吐水部の取手部を利用することで、吐水部で手が滑ってしまうことがなく容易に吐水部を引き出すことができ、操作性を向上することができる。また、手が滑ってしまい、手を洗面ボウルのふちなどにぶつけるといった問題も発生しない。    更に、取手部は、吐水部が保持部に装着されている状態で、使用者から見え難い位置に形成されているので、意匠性を損なうことがない。ここで言う、使用者が吐水口に対して真正面に立つというのは、言い換えれば、吐水口の中心を通り、壁面と平行な鉛直面に対して対面することであり、吐水口を水平目線で見るというのは、言い換えれば、吐水口の中心を通る水平面が使用者の目線になることである。
【０００９】
本発明の水栓装置は、好ましくは、吐水部は、ホースと接続し、保持部に着脱可能に保持される継手部と、取手部が挿入されるカバー開口部が形成され、継手部を覆う吐水部カバーと、を有し、取手部は、継手部に形成された突起部が嵌め込まれる取手開口部が形成されており、カバー開口部に取手部を挿入し、継手の突起部を取手開口部に嵌め込むことで、取手部は、吐水部に固定されている。
【００１０】
このような構成とすれば、取手部は、継手部の突起部を取手開口部に嵌め込むことで、吐水部に固定されているので、容易に取手部を吐水部に設置できる。
【００１１】
また、本発明の水栓装置は、洗面ボウルの上方に位置する壁面部に固定された水栓装置であって、前記水栓装置は、水を送給するホースが接続され、水を吐水する吐水口が形成された円柱状の吐水部と、前記壁面部に形成された開口部に固定され、前記吐水部を着脱可能に保持する保持部と、を有し、前記吐水口から水が吐水される方向と、前記吐水部を前記保持部に装着されている状態から離脱する方向は、同一方向であり、前記吐水部には、前記吐水部が前記保持部に装着されている状態から離脱する際に使用可能な取手部が形成され、前記取手部は、前記吐水部が前記保持部に装着されている状態で、前記壁面部と対面する前記吐水部の背面側及び前記吐水口より上部に位置し、且つ、前記吐水部が前記保持部に装着されている状態での前記取手部の水平方向の最大幅は、前記円柱状の吐水部の直径より小さいことを特徴とする水栓装置である。ここでいう円柱状とは、楕円状であってもよく、更には、吐水口が少し膨らんだ形状も含み、吐水部が楕円状である時の吐水部の直径は、前記吐水部が前記保持部に装着されている状態での水平方向の幅であり、また、吐水口が少し膨らんだ形状の吐水部である場合は、吐水部の円柱状の箇所の直径である。
【００１２】
このような構成とすれば、吐水部を引き出して使用する際に、手に石鹸などが付着していて滑りやすい状態でも、吐水部の取手部を利用することで、吐水部で手が滑ってしまうことがなく容易に吐水部を引き出すことができ、操作性を向上することができる。また、手が滑ってしまい、手を洗面ボウルのふちなどにぶつけるといった問題も発生しない。    更に、取手部は、吐水部が保持部に装着されている状態で、前記壁面部と対面する前記吐水部の背面側及び前記吐水口より上部に位置し、且つ、前記吐水部が前記保持部に装着されている状態での前記取手部の水平方向の最大幅は、前記円柱状の吐水部の直径より小さいものであるので、吐水部が保持部に装着されている状態で、使用者から見えることがなく、意匠性を損なうことがない。
【発明の効果】
【００１３】
本発明により、使用者の手が石鹸などが付着していて滑りやすい状態であっても容易に吐水部を引き出すことができ、引き出し操作性の高い水栓装置を提供することができる。
【発明を実施するための最良の形態】
【００１４】
以下、図面に基づいて、本発明の実施の形態について説明する。図１は本発明の水栓装置を壁面部に取り付けた洗面化粧台を示す斜視図を示す斜視図である。図２は、本発明の水栓装置が洗面化粧台のボックス部に収納された状態を示す斜視図である。図３は本発明の水栓装置の吐水部を示す断面側面図である。図４は、本発明の水栓装置の吐水部を示す分解斜視図である。図５は、図３の断面側面図のＡ−Ａ断面図である。図６は、本発明の水栓装置の継手部を示す斜視図である。図７は、本発明の取手部を示す斜視図である。
【００１５】
図１に示すように、洗面化粧台１は、下部キャビネット２と、下部キャビネット２の上に設置された洗面ボール３と、洗面ボール３の上方に位置し、鏡を有する上部キャビネット６とボックス部２１からなる壁面部５と、この壁面部５に固定された本発明の水栓装置４から成る。
【００１６】
この水栓装置は、図２に示すように、給水管１００及び給湯管１０１が接続された湯水混合部２３と、この湯水混合部２３及び吐水部２４に接続された可撓性を有するホース２５と、上部キャビネット６の下方に位置するボックス部２１に形成された開口部３１に固定された保持部２７から成り、壁面部５のボックス部２１に、収納されている。この水栓装置は、給水管１００から流れてきた水と、給湯管１０１から流れてきた湯を湯水混合部２３で、ハンドル１０２で調整された温度に設定して、ホース２５を介して、吐水部２４に形成されている吐水口から湯水を吐水する。
【００１７】
次に図３〜図５を参照して、本発明の水栓装置の吐水部について、説明する。図３及び図４に示すように、吐水部２４は、ボックス部２１に形成された開口部３１に固定される保持部２７に対して、吐水部２４を着脱可能にする継手部１２と、この継手部１２及びホース２５を覆う略円柱状の吐水部カバー１３を有する。
【００１８】
保持部２７は、ホース２５の引き出しをスムーズに行うための略円柱状のホースガイド７を有し、ホースガイド７は、開口部３１に対してナット１１及びスペーサー１０により固定され、ホースガイド７と開口部３１の間には、パッキン８が嵌め込まれている。
【００１９】
また、吐水部２４の吐水口２６には、化粧キャップ１６、泡沫キャップ１７及び内筒１８が取り付けられている。化粧キャップ１６が、継手部１２にねじで連結され、吐水部カバー１３の上部（図４での左側）に嵌め込まれることで、化粧キャップ１６が吐水部カバー１３に固定され、更に、吐水部カバー１３と継手部１２が固定される。この化粧キャップ１６の内側に泡沫キャップ１７が継手部１２にねじで連結され位置し、更に、泡沫キャップ１７の内側に吐水口から吐水される湯水を泡状にする内筒１８が、継手部１２にねじで固定され位置している。化粧キャップ１６は、使用者が吐水部を洗面ボール３に落とした時に、洗面ボール３が傷つなかいように樹脂で形成されている。
【００２０】
図５に示すように継手部１２の溝に形成された穴１０３に２個のボール２０が入っており、この継手部１２の溝には、ボール止め輪１９が係合されている。このボール止め輪１９は、溝に係合されている状態で内側に付勢力を有しており、ボール２０を内側に付勢している。穴１０３の内径はボール２０の外径より小さく、ボール止め輪１９で付勢されている状態では、穴１０３に嵌ったボール２０は、一部が継手部１２の内面に突き出す方向に付勢されている。一方、保持部２７のホースガイド７の外周には、２つの凹部１０４が備えられており、吐水口部２４を保持部２７に装着すると、凹部１０４が継手部１２の穴１０３に相対する位置になる。この状態においては前述のボール２０の穴１０３より突き出した部分が、凹部１０４に嵌り込み、吐水口部２４を保持部２７が保持する状態になっている。このボール２０の保持部２７の径方向への移動により、吐水口部２４が保持部２７に対し着脱できるようになっている。
【００２１】
次に、図２、図３、図５〜図７を参照して、本発明の取手部について説明する。図７に示すように、取手部１５は、略三角柱状になっていて、取手開口部２２と、継手部１２の外径に沿うように取手Ｒ部２９が形成されている。また、図４に示すように吐水部カバー１３には、この取手部１５の取手R部２９側が挿入されるカバー開口部２８が形成されている。このカバー開口部２８は、吐水部２４が保持部２７に装着されている状態で、使用者が吐水口２６に対して真正面に立ち且つ吐水口を水平目線で見たときに、取手部１５が吐水部の存在により隠れる位置になる位置に、形成される。（図３参照）
【００２２】
また、図２、図３に示すように、取手部２４は、吐水部が保持部に装着されている状態で、壁面部と対面する吐水部の背面側及び吐水口より上部に位置しており、更に、図５に示すように、取手部２４は前記吐水部が前記保持部に装着されている状態での前記取手部の水平方向の最大幅は、前記円柱状の吐水部の直径より小さく形成されている。
【００２３】
また、図６に示すように、継手部１２は、取手部１５の取手開口部２２に嵌め込むための突起部３０が形成されていて、吐水部を組み立てる際に、取手部１５をカバー開口部２８に挿入し、継手部１２の突起部３０を取手開口部２２に嵌め込むことで、吐水部２４が保持部２７から引き出される方向に対して垂直方向に延びた状態で、吐水部２４に取手部１５が固定される。このような構成にしたことで、吐水部カバー１３のカバー開口部２８に挿入された取手部１２が、カバー開口部２８から簡単に外れることなく吐水部２４に取手部１５を取り付けることが可能となる。
【００２４】
また、このように取手部を吐水部に形成することで、吐水部を引き出して使用する際に、手に石鹸などが付着していて、滑りやすい状態でも、吐水部の取手部を利用することで、吐水部で、手が滑ってしまうことがなく容易に吐水部を引き出すことができ、操作性を向上することができる。また、手が滑ってしまい、手を洗面ボウルのふちなどにぶつけるといった問題も発生しない。  更に、取手部は、吐水部が保持部に装着されている状態で、使用者から見え難い位置に形成されているので、意匠性を損なうことがない。
【００２５】
また、吐水部カバーには、取手部が挿入されるカバー開口部を形成し、取手部には取手開口部を形成して、取手開口部に嵌め込むように継手部に突起部を形成することで、取手部を吐水部に固定する構成したので、容易に取手部を吐水部に設置できる。
【００２６】
次に、第２実施形態について説明する。この実施形態は、取手部と継手部の形状が異なるのみであるので、異なる部分について説明し、同じ部分は説明を省略する。
【００２７】
図８は本発明の第２実施形態の吐水部を示す斜視図、図９は本発明の第２実施形態の取手部を示す斜視図、本発明の第２の実施形態の継手部を示す斜視図、図１１は図８のＢ―Ｂ断面の模式図である。
【００２８】
図９において、取手部１５ａは、前述の取手部１５が備えていた取手開口部は備えていないが、２つの突起１１０と取手凹部１１１を備えている。また図１０に示すように継手部１２ａは突起部１１２を備えており、取手部１５ａの取手凹部１１１に継手部２１ａの突起部１１２が嵌り込むようになっている。（図１１参照）その他の点については、第１実施例と同様であるので説明を省略する。このような構成としても、吐水部が保持部２から引き出される方向に対して垂直方向に延びた状態で、吐水部に取手部を容易に固定することができる。
【産業上の利用可能性】
【００２９】
本発明の水栓装置は、一般家庭、ホテルあるいは公共施設などに配置される壁面に固定  する水栓装置などにおいて広く利用することができる。
【図面の簡単な説明】
【００３０】
【図１】本発明の水栓装置を壁面部に取り付けた洗面化粧台を示す斜視図である。
【図２】本発明の水栓装置が洗面化粧台のボックス部に収納された状態を示す斜視図
【図３】本発明の水栓装置の吐水部を示す断面側面図である。
【図４】本発明の水栓装置の吐水部を示す分解斜視図である。
【図５】図２の断面側面図のＡ−Ａ断面図である。
【図６】本発明の水栓装置の継手部を示す斜視図である。
【図７】本発明の取手部を示す斜視図である。
【図８】本発明の第２実施形態の吐水部を示す斜視図である。
【図９】本発明の第２実施形態の取手部を示す斜視図である。
【図１０】本発明の第２の実施形態の継手部を示す斜視図である。
【図１１】図８のＢ−Ｂ断面図である。
【符号の説明】
【００３１】
１  洗面化粧台
２  下部キャビネット
３  洗面ボール
４  水栓装置
５  壁面部
６  上部キャビネット
７  ホースガイド
８  パッキン
９  ホース
１０  スペーサー
１１  ナット
１２、１２ａ  継手部
１３  カバー
１５、１５ａ  取手部
１６  化粧キャップ
１７  泡沫キャップ
１８  内筒
１９  ボール止め輪
２０  ボール
２１  ボックス部
２２  取手開口部
２３  湯水混合部
２４  吐水部
２５  ホース
２６  吐水口
２７  保持部
２８  カバー開口部
２９  取手Ｒ部
３０、１１２  突起部
３１  開口部
１００  給水管
１０１  給湯管
１０２  ハンドル
１０３  穴
１０４  凹部
１１０  突起
１１１  取手凹部
【図１】
2010084348.tif 000003
【図２】
2010084348.tif 000004
【図３】
2010084348.tif 000005
【図４】
2010084348.tif 000006
【図５】
2010084348.tif 000007
【図６】
2010084348.tif 000008
【図７】
2010084348.tif 000009
【図８】
2010084348.tif 000010
【図９】
2010084348.tif 000011
【図１０】
2010084348.tif 000012
【図１１】
2010084348.tif 000013